(57)【特許請求の範囲】
【請求項１】
体腔内に挿入し被写体を撮像するための内視鏡と、
前記内視鏡が撮像した前記被写体像に係る撮像信号を通常の撮影モードとして信号処理する第１の信号処理手段と、
前記内視鏡固有の情報を含む情報が、文字情報もしくはコード化された情報として明記された、当該内視鏡に付随したタグと、
前記内視鏡が撮像した前記タグに明記された文字情報もしくはコード化された情報を含む画像信号を２値化モードとして信号処理する第２の信号処理手段と、
前記第２の信号処理手段において信号処理した前記タグに明記された文字情報もしくはコード化された情報を含む画像信号を２値化した情報から前記内視鏡に関連する情報を抽出する情報抽出手段と、
前記情報抽出手段により抽出された情報に基づいて前記内視鏡に係る履歴情報を作成する履歴情報手段と、
を具備したことを特徴とする内視鏡システム。
【請求項２】
前記内視鏡固有の情報は、少なくとも前記内視鏡の型名およびシリアルナンバを含むことを特徴とする請求項１に記載の内視鏡システム。
【発明の詳細な説明】
【０００１】
【発明の属する技術分野】
本発明は内視鏡システム、更に詳しくはシステムの各装置の履歴情報作成部分に特徴のある内視鏡システムに関する。
【０００２】
【従来の技術】
従来の内視鏡装置においては、内視鏡により得られた観察用の画像には、ＶＴＲや写真に記録したときに内視鏡画像の識別や検索を容易に行えるようにするために、患者のＩＤ．ＮＯや名前等の文字情報を入力できるようになっている。
【０００３】
これらの文字情報の入力手段としては、キーボードを用いる方法、出願人が先に出願した特願平８−１７６６７８号に示した内視鏡画像中から文字情報を抽出、認識する方法がある。
【０００４】
一方、従来の内視鏡装置では、内視鏡は１台のビデオプロセッサについて、施設の状況、検査の内容、手技に応じて視野角度や視野方向や解像度の異なる複数種類が複数本数準備されている。
【０００５】
視野角度、視野方向、解像度が異なると、同じ病変部を撮影しても当然の如く見え方が異なった内視鏡画像となる。使用者は、後で記録した画像を元に病変部の位置を特定する際に役立つように、使用した時の内視鏡の型名やシリアルナンバをカルテなどに記載するようにしていた。この情報は、後で第三者が記録した画像中に異常を認めた場合には、故障している内視鏡の特定にも役立っていた。
【０００６】
また、内視鏡を替えると、最適な色調を得るためにホワイトバランスを取り直す必要があるが、例えば特開昭６２−１８３２９３号公報に開示されているように、内視鏡自体に不揮発性のメモリ等を利用してシリアルナンバを保持し、前記シリアルナンバを認識して色調を切り換えることにより、毎回ホワイトバランスを取り直すことを省略可能としたり、特開平３−４８３１号公報に開示されているように内視鏡の使用時間を記録、表示するようになっていた。
【０００７】
【発明が解決しようとする課題】
しかしながら、上記特開昭６２−１８３２９３号公報の場合、内視鏡のＩＤによって、自動的にホワイトバランス等の色調整を行っているが、ＩＤ自体の表示はどこにもされないし、内視鏡の型名も表示、記憶されない。従って、記録済みの画像をチェックして、故障している内視鏡の特定を行うことはできないし、視野角度、視野方向、解像度が異なる内視鏡を用いた場合に生じる病変部の見え方の差に対応できないといった問題がある。
【０００８】
本発明は、上記事情に鑑みてなされたものであり、記録済みの画像より故障している内視鏡を特定すると共に、視野角度、視野方向、解像度が異なる内視鏡を用いた場合に生じる病変部の見え方や鉗子孔位置の差に対応できる内視鏡システムを提供することを目的としている。
【０００９】
【課題を解決するための手段】
本発明の内視鏡システムは、体腔内に挿入し被写体を撮像するための内視鏡と、前記内視鏡が撮像した前記被写体像に係る撮像信号を通常の撮影モードとして信号処理する第１の信号処理手段と、前記内視鏡固有の情報を含む情報が、文字情報もしくはコード化された情報として明記された、当該内視鏡に付随したタグと、前記内視鏡が撮像した前記タグに明記された文字情報もしくはコード化された情報を含む画像信号を２値化モードとして信号処理する第２の信号処理手段と、前記第２の信号処理手段において信号処理した前記タグに明記された文字情報もしくはコード化された情報を含む画像信号を２値化した情報から前記内視鏡に関連する情報を抽出する情報抽出手段と、前記情報抽出手段により抽出された情報に基づいて前記内視鏡に係る履歴情報を作成する履歴情報手段と、を具備したことを特徴とする。
【００１０】
本発明の内視鏡システムでは、内視鏡が撮像したタグに明記された文字情報もしくはコード化された情報を含む画像信号から当該内視鏡に関連する情報を抽出し、履歴情報を作成することで、記録済みの画像より故障している内視鏡を特定すると共に、視野角度、視野方向、解像度が異なる内視鏡を用いた場合に生じる病変部の見え方や鉗子孔位置の差に対応することを可能とする。
【００１１】
【発明の実施の形態】
以下、図面を参照しながら本発明の実施の形態について述べる。
【００１２】
図１及び図２は本発明の第１の実施の形態に係わり、図１は内視鏡システムの構成を示す構成図、図２は図１の観察モニタの表示例を示す図である。
【００１３】
（構成）
図１に示すように、本実施の形態の内視鏡システム１は、体腔内に挿入する細長な挿入部２及びこの挿入部２の基端側に設けられた操作部３とを有し被検部位の内視鏡画像を得るために挿入部２の先端部に図示しないＣＣＤ等からなる撮像素子を内蔵した電子内視鏡４と、操作部３から延出する図示しないユニバーサルケーブルにより接続される電子内視鏡４の図示しない撮像素子の駆動と出力信号の処理及び後述する文字情報の符号化、履歴情報の作成を行うビデオプロセッサ５と、ビデオプロセッサ５により処理された電子内視鏡４で撮像した画像を観察するための観察モニタ６と、観察モニタ６で観察した画像を撮影するための写真撮影装置７とから構成され、電子内視鏡４には、機種名とシリアルナンバが明記されたタグ８がチェーン９によって操作部３に接続されている。
【００１４】
ここで、図１においては、タグ８に機種名とシリアルナンバが文字により明記された例を示しているが、コード化した状態、例えばバーコードにより機種名とシリアルナンバを明記してもよい。
【００１５】
なお、電子内視鏡４は、操作部３から延出する図示しないユニバーサルケーブルを介して光源装置１０が接続され、この光源装置１０から電子内視鏡４に照明光が供給されるようになっている。
【００１６】
ビデオプロセッサ５は、電子内視鏡４の図示しない撮像素子の駆動と入力される画像信号の各種信号処理を行う画像信号処理部１１と、図示しない指示手段により通常撮影モードから２値化モードになった場合に画像信号処理部１１から入力されるタグ８による文字情報を含む画像を２値化し文字コードに変換し文字データを認識する文字認識部１２と、内視鏡画像モード時の画像信号処理部１１の出力である内視鏡画像に文字認識部１２が認識した文字データを重畳する画像重畳部１３と、患者名等の任意文字を入力するためのキーボード１４と、キーボード１４から入力される患者のＩ．Ｄ．Ｎｏ．や名前等の患者データや文字認識部１２が認識した文字データの各種入出力制御やタイミングの制御を行うＣＰＵ１５とから構成される。
【００１７】
なお、ＣＰＵ１５には、さらに文字認識部１２が認識した文字データを基にして履歴情報を発生するための履歴ファイル形成部１６が設けられており、形成された履歴情報は、ＣＰＵ１５に接続されたデータ記憶部１７に記憶されるようになっている。
【００１８】
また、データ記憶部１７には、前記患者データが記憶されると共にビデオプロセッサ５の色調、輪郭強調量等の各種設定値がキーボード１４から入力した使用者の名前毎に複数パターン記憶できるようになっている。
【００１９】
（作用）
次に、このように構成された本実施の形態の作用について説明する。
【００２０】
電子内視鏡４で得られたアナログの画像信号は、ビデオプロセッサ５の画像信号処理部１１に入力されてビデオ信号に変換された後、ディジタル化されて出力され、画像重畳部１３にディジタルの内視鏡画像データとして保持される。
【００２１】
操作者がキーボード１４より入力した患者名やＩ．Ｄ．Ｎｏ．など患者データとコメントなどの任意の文字列は、ＣＰＵ１５を介しデータ記憶部１７に保持されると共に画像重畳部１３の内視鏡画像中にキーボード１４で指示した任意の場所に任意の大きさが重畳される。
【００２２】
なお、患者データがデータ記憶部１７で記憶済みのＩ．Ｄ．Ｎｏ．と同じ場合には、Ｉ．Ｄ．Ｎｏ．の入力を終了した時点で、名前や生年月日の他の患者データが呼び出されて内視鏡画像中に重畳されるようになっている。
【００２３】
また、操作者が内視鏡検査を始める前に、データ記憶部１７に登録済みのビデオプロセッサ５の各種設定値を自分の名前を選択することにより呼び出した後、前述の２値化モードを選択し、タグ８を撮像する。文字認識部１２はタグ８に描かれている文字列を認識して、文字列は一般的に知られている光学的文字読み取り装置（ＯＣＲ）の技術を用いて２値化し文字コードに変換され、ＣＰＵ１５を介して画像重畳部１３にて内視鏡画像中に重畳される。タグ８を読み込ませた後は、２値化モードを通常撮影モードに戻す。
【００２４】
ＣＰＵ１５の履歴ファイル形成部１６では、ＣＰＵ１５に送られてきた文字コードが、予め記憶している電子内視鏡４の機種名とシリアルナンバを表すＳ／Ｎに合致したと認識し、かつデータ記憶部１７に同じデータが無い場合に履歴情報ファイルを形成して、データ記憶部１７に保存させる。
【００２５】
図１の例では、電子内視鏡４の機種が「ＡＢＣ−ＴＹＰＥ１」、シリアルナンバが「０１２３」であることを示す。
【００２６】
また、履歴ファイル形成部１６では、電子内視鏡４がビデオプロセッサ５に接続されている時間を検知し履歴情報ファイルに書き込む。履歴情報ファイルが既にデータ記憶部１７にある場合には、前データの時間に新たな時間を累積するようになっている。この累積時間も他の文字データと同様に画像重畳部１３にて文字情報として重畳される。
【００２７】
なお、電子内視鏡４の接続検知の方法は具体的には提示していないが、従来からある方法、例えば、電子内視鏡４側に設けられているＣＣＤ種別判定用の抵抗値を検出してもよいし、ＣＣＤ駆動時の負荷の有無を検出してもよい。
【００２８】
画像重畳部１３に保持された各種文字データを含む内視鏡画像は、例えば、図２に示すような患者データ２１、電子内視鏡機種名２２、シリアルナンバ２３、内視鏡画像２４、累積使用時間２５のような形態で、観察モニタ６に出力されて表示されると共に写真撮影装置７にも出力されて表示される。もちろん、写真撮影装置７でなくても、ＶＴＲ等の画像記録装置でもよい。
【００２９】
ここで、図２に示すように、観察モニタ６では、認識した電子内視鏡機種名２２に応じて鉗子孔の出現位置を示す鉗子孔位置指示マーカ２６が図示しない操作パネルからの指示により表示したり、消したりできる。
【００３０】
（効果）
このように本実施の形態では、特に他の外部入力装置を用いることなく、現在使用している電子内視鏡４の機種名やシリアルナンバ、累積使用時間を入力し、表示、記録することができるので、後で現像した写真から故障している電子内視鏡４の特定を行ったり、視野角度、視野方向、解像度が異なる電子内視鏡４を用いた場合に生じる病変部の見え方や鉗子孔位置の差に対応できる。
【００３１】
図３は本発明の第２の実施の形態に係る内視鏡システムの構成を示す構成図である。
【００３２】
第２の実施の形態は、第１の実施の形態とほとんど同じであるので、異なる点のみ説明し、同一の構成には同じ符号をつけ説明は省略する。
【００３３】
（構成）
第２の実施の形態は、図３に示すように、第１の実施の形態の構成に加えて、内視鏡システムが単体でなく、複数存在した場合に相互の内視鏡システム間でデータ通信を行うためのネットワークＩ／Ｆ部３１がビデオプロセッサ５内部に追加した構成となっている。その他の構成は第１の実施の形態と同じである。
【００３４】
（作用）
本実施の形態のおいては、ネットワークＩ／Ｆ部３１により、データ記憶部１７に記憶されている患者データ、履歴情報ファイル及びビデオプロセッサ５の使用者毎の各種設定値を、図示しない他の内視鏡システムと相互に通信し、登録済みの履歴情報ファイルや使用者毎の各種設定値が更新された場合には、他の内視鏡システムのデータも更新するようになっている。その他の作用は第１の実施の形態と同じである。
【００３５】
（効果）
このように本実施の形態では、第１の実施の形態の効果に加え、複数の内視鏡システムが存在している場合においても、電子内視鏡４自体に記憶手段を設けることなく、履歴情報も管理できると共に、ビデオプロセッサ５の各種設定値も１カ所で一度登録するだけでよい。
【００３６】
図４及び図５は本発明の第３の実施の形態に係わり、図４は内視鏡システムの構成を示す構成図、図５は図４の内視鏡システムの各装置に設けられたデータ処理部の構成を示す構成図である。
【００３７】
第３の実施の形態は、第２の実施の形態とほとんど同じであるので、異なる点のみ説明し、同一の構成には同じ符号をつけ説明は省略する。
【００３８】
（構成）
図４においては、複数の内視鏡システム１を３台接続した例として、内視鏡システム１ａ、１ｂ、１ｃの接続関係を示している。また、各内視鏡システム１には、第２の実施の形態では特に図示しなかったが、高周波を用いて病変部を焼勺する電気メス４０と、ダイオードの発熱を利用して病変部の焼勺と止血を行うヒートプローブ４１が備えてある例を示している。なお、電気メス４０とヒートプローブ４１は、必ずしも備える必要性はない。
【００３９】
また、第３の実施の形態では、図５に示すように、各々がデータバスで接続されたデータ記憶部１７とＣＰＵ１５とネットワークＩ／Ｆ部３１及び履歴情報ファイルの内容に応じてデータを補正するデータ補正部４２とからなるデータ処理部４３が、電子内視鏡４を除く内視鏡システム１の各装置、すなわち、観察モニタ６、ビデオプロセッサ５、光源装置１０、写真撮影装置７、電気メス４０、ヒートプローブ４１の全てにそれぞれ設けられている点が第２の実施の形態と比べて追加となっている。
【００４０】
前記各装置毎のデータ記憶部１７には、装置の各種設定値としてメーカが設定した基準値と複数のユーザの好みに応じて調節された複数パターンの設定値が記憶されていると共に、各装置の累積使用時間等を履歴情報ファイルとして記憶している。なお、累積使用時間の算出方法は特に記述していないが、一般的はＣＰＵの動作クロックを基に構成した時計、カウンタ、加算器によりＣＰＵが動作状態にある時間を累積してもよい。
【００４１】
ここで、光源装置１０内のデータ記憶部１７に記憶される履歴情報ファイルには、少なくてもランプの点灯時間の累積と点灯回数から求めたランプの残り寿命が保存されていることとする。
【００４２】
また、観察モニタ６と写真撮影装置７の各データ記憶部１７に記憶される履歴情報ファイルには、少なくとも基準値に於ける装置内部のブラウン管の輝度と色度が保存されていることとする。なお、輝度と色度を求める方法は、業務用のＴＶモニタ等に設けられているカラーセンサを用いる方法で構わない。
【００４３】
その他の構成は第２の実施の形態と同じである。
【００４４】
（作用）
使用者は、最初に内視鏡システム１ａ内のビデオプロセッサ５に接続されているキーボード１４より自動の名前を入力すると、ビデオプロセッサ５のデータ記憶部１７に記憶される。
【００４５】
次に、各種装置全ての設定を自分の好みに応じて内視鏡システム１ａ内のビデオプロセッサ５に図示しない操作パネルから入力すると、内視鏡システム１ａ内のビデオプロセッサ５の各種設定値は使用者の名前に対応づけてデータ記憶部１７に記憶される。記憶された内視鏡システム１ａ内のビデオプロセッサ５の各種設定値は、内視鏡システム１ａ内のビデオプロセッサ５のネットワークＩ／Ｆ部３１と他の内視鏡システム１ｂと内視鏡システム１ｃ内の各ビデオプロセッサ５のネットワークＩ／Ｆ部３１とを経由して他の内視鏡システム１ｂと内視鏡システム１ｃ内の各ビデオプロセッサ５のデータ記憶部１７にも転送され記憶される。
【００４６】
また、内視鏡システム１ａ内のビデオプロセッサ５の各種設定値は、同様にして内視鏡システム１ａ〜１ｃ内の各ビデオプロセッサ５以外の各種装置、すなわち、内視鏡システム１ａ〜１ｃ内の各観察モニタ６、各光源装置１０、各電気メス４０、各ヒートプローブ４１へも各種装置の各ネットワークＩ／Ｆ部３１を経由して各種装置の各データ記憶部１７に記憶される。
【００４７】
さらに、各種装置の何れかで各種装置の操作パネルから入力された各種装置の設定値も同様にして自分以外の他の各種装置の各データ記憶部１７に転送され、最初に内視鏡システム１ａ内のビデオプロセッサ５で登録した使用者の名前毎にデータが記憶されるようになっている。
【００４８】
なお、前記各種装置の設定値とは、使用者の名前毎に登録した各種設定値を含むことは当然であるが、メーカが決めた基準値の設定値も含んでいる。
【００４９】
以上のようにして、各種装置の設定値がネットワーク接続された全ての装置のデータ記憶部１７に記憶された後、装置の累積使用時間等の履歴情報ファイルの内容に応じて、各装置では、記憶済みの各種設定値をデータ補正部４２を用いて補正する。この補正方法は、オリジナルの設定値を補正後の設定値に書き換えて記憶しても良いし、オリジナルの設定値と補正値の両方を記憶するようにしても良いし、オリジナルの設定値とそれに対応する補正量だけを記憶するようにしても良い。
【００５０】
前記の装置の履歴情報ファイルの内容に応じて各種装置の設定値を補正することとは、使用条件が膨大で全てを網羅して説明することは割愛するが、以下に一例を挙げて説明する。
【００５１】
一番最初に使用者は、内視鏡システム１ａ内のビデオプロセッサ５に自分の名前を登録して各種設定値を操作パネルから入力したとする。次にこの使用者は内視鏡システム１ｂ内のビデオプロセッサ５を内視鏡システム１ａ内のビデオプロセッサ５と同じ設定で使おうとした場合、内視鏡システム１ｂに接続されている各種装置の設定値をこの使用者の名前で登録されている各種設定値に切り換える。
【００５２】
しかしながら、内視鏡システム１ａと同じ設定値を使用者名で呼び出しても、内視鏡システム１ｂの各種装置が内視鏡システム１ａ内の各種装置とは、累積使用時間も異なるし、製品のばらつき等により経時変化の出方にも差があるので、メーカの基準値に於いても完全に同じ値に設定できない場合が存在する（当然、使用者毎の設定値も同じ値には出来ない）。
【００５３】
すなわち、観察モニタ６や写真撮影装置７の内部ブラウン管の輝度や色度は、累積使用時間が長くなるとブラウン管が劣化して輝度が低下して、色度も変化する。また、光源装置１０のランプの残り寿命に応じて、ランプの明るさも変化する。
【００５４】
従って、内視鏡システム１ｂ内の観察モニタ６が内視鏡システム１ａ内の観察モニタ６より基準値での輝度が低下していたら、内視鏡システム１ｂ内の観察モニタ６の輝度を増加するように内視鏡システム１ｂ内の観察モニタ６のデータ補正部４２にてい基準値での輝度を補正するようになっている。
【００５５】
同様に、内視鏡システム１ｂ内の写真撮影装置７が内視鏡システム１ａ内の写真撮影装置７より基準値での色度が（ｘ，ｙ）の色度座標上でズレていたら、内視鏡システム１ｂ内の写真撮影装置７の色度を合わせ込むように内視鏡システム１ｂ内の写真撮影装置７のデータ補正部４２にて基準値での色度を補正するようになっている。
【００５６】
また同様に、内視鏡システム１ｂ内の光源装置１０が内視鏡システム１ａ内の光源装置１０より基準値でのランプの明るさが低下していたら、内視鏡システム１ｂ内の光源装置１０のランプの明るさを増加するように内視鏡システム１ｂ内の光源装置１０のデータ補正部４２にて基準値でのランプの明るさを補正するようになっている。
【００５７】
その他の作用は第２の実施の形態と同じである。
【００５８】
（効果）
従って、本実施の形態では、第１及び第２の実施の形態の効果に加えて、累積使用時間が異なったり、製品固有のばらつき等によって経時変化の出方に差が生じていても、一度登録した設定条件と全て同一の条件で複数の内視鏡システムを使用できる。
【００５９】
なお、本実施の形態においては、各種設定値を自分以外の他の装置に転送するに当たって、転送するデータの内容を言及してはいないが、全てのデータを転送しても良いし、転送データの内、送信先の装置で必要としないデータを送る必要性はないので、データを間引いて送信先で必要とするデータだけを送る、もしくは、受信先で必要なデータだけを選択して記憶するようにすれば、データ記憶部６の容量を必要最小限にできる。
【００６０】
また、各種設定値は使用者毎に名前で登録する例を挙げて説明したが、これに限るものではなく、使用者を識別できるならば、使用者毎のＩ．Ｄ．Ｎｏ．でも良いし、Ｉ．Ｄ．Ｎｏ．等を記憶した磁気カード等を読み込めるようにしておいてもよい。
【００６１】
図６及び図７は本発明の第４の実施の形態に係わり、図６は内視鏡総合システムの構成を示す構成図、図７は図６の内視鏡総合システムを複数接続した状態を示す図である。
【００６２】
第４の実施の形態は、第３の実施の形態とほとんど同じであるので、異なる点のみ説明し、同一の構成には同じ符号をつけ説明は省略する。
【００６３】
（構成）
図６に示すように、本実施の形態の内視鏡総合システム５１は、例えば第３の実施の形態の内視鏡システム１ａの各種装置（すなわち、観察モニタ６、ビデオプロセッサ５、光源装置１０、写真撮影装置７、電気メス４０、ヒートプローブ４１）が台車等に載せられた別ユニットとして存在していたのに対し、各種装置（すなわち、観察モニタ６、ビデオプロセッサ５、光源装置１０、写真撮影装置７、電気メス４０、ヒートプローブ４１）を一体形式とし、各種装置を集中操作を行うためのタッチパネル５２を設け、タッチパネル５２で入力された操作内容が集中制御を行うための制御装置５３で解釈され、内視鏡システム１の各種装置（すなわち、観察モニタ６、ビデオプロセッサ５、光源装置１０、写真撮影装置７、電気メス４０、ヒートプローブ４１）に伝達されるようになっている点が変更されている。
【００６４】
内視鏡総合システム５１が例えば３台接続されている場合、各内視鏡総合システム５１ａ〜５１ｃの各装置のネットワークＩ／Ｆ部３１は、図７に示すように接続される。
【００６５】
なお、本実施の形態の場合、第３の実施の形態で各種装置に設けられていた図５に示したデータ記憶部１７とデータ補正部４２は、各種装置（すなわち、観察モニタ６、ビデオプロセッサ５、光源装置１０、写真撮影装置７、電気メス４０、ヒートプローブ４１）の中からは除かれており、制御装置５３内だけに図５に示した構成用件が全て内包されている。
【００６６】
その他の構成は第３の実施の形態と同じである。
【００６７】
（作用）
本実施の形態の内視鏡総合システム５１に於いては、各種装置（すなわち、観察モニタ６、ビデオプロセッサ５、光源装置１０、写真撮影装置７、電気メス４０、ヒートプローブ４１）は、制御装置５３の指示に従って動作するので、データの記憶、データの補正、他の内視鏡総合システム５１との通信は制御装置５３だけで行なわれる。
【００６８】
その他の作用は第３の実施の形態と同じである。
【００６９】
（効果）
従って、本実施の形態では、各種装置（すなわち、観察モニタ６、ビデオプロセッサ５、光源装置１０、写真撮影装置７、電気メス４０、ヒートプローブ４１）内にデータ記憶部１７やデータ補正部４２を設けなくても第３の実施の形態の効果と同様の効果を得ることができる。
【００７０】
［付記］
（付記項１）  体腔内に挿入し被写体を撮像する内視鏡と、
前記内視鏡に照明光を供給する光源装置と、
前記内視鏡が撮像した前記被写体の撮像信号を信号処理する信号処理装置と
を具備した内視鏡システムにおいて、
前記内視鏡で撮像した文字情報もしくはコード化された情報を含む画像を入力する画像入力手段と、
前記画像入力手段により入力された前記文字情報もしくは前記コード化された情報を符号化する符号化手段と、
前記符号化された文字情報もしくはコード化された情報を表示するための表示データを生成する表示データ生成手段と、
前記符号化された文字情報もしくはコード化された情報を基づいて前記内視鏡、前記光源装置及び前記信号処理装置の履歴情報を作成する履歴情報手段と
を備えたことを特徴とする内視鏡システム。
【００７１】
（付記項２）  前記符号化された文字情報もしくはコード化された情報は、
少なくとも前記内視鏡の型名とシリアルＮＯ．を含む
ことを特徴とする付記項１に記載の内視鏡システム。
【００７２】
（付記項３）  前記履歴情報は、少なくとも前記内視鏡の使用時間情報を含む
ことを特徴とする付記項１に記載の内視鏡システム。
【００７３】
（付記項４）  前記表示データ生成手段が生成した表示データを前記内視鏡の内視鏡画像に選択的に重畳させる重畳手段を備えた
ことを特徴とする付記項１に記載の内視鏡システム。
【００７４】
（付記項５）  前記履歴情報は、少なくとも前記光源装置の照診ランプの点灯時間と点灯回数を含む
ことを特徴とする付記項１に記載の内視鏡システム。
【００７５】
照診ランプに用いられているキセノンランプの場合、明るさが低下する原因として、使用時間が大である以上に点灯回数が大となることがあった。しかしながら、従来の内視鏡システムでは、使用時間の記録しかされていないので、本当のランプ寿命が判定しにくいといった問題があるが、付記項５の内視鏡システムではこのような問題を解決する。
【００７６】
（付記項６）  少なくても前記履歴情報を含むシステム情報を送受信できる
ことを特徴とする付記項１に記載の内視鏡システム。
【００７７】
（付記項７）  前記システム情報は、前記内視鏡、前記光源装置及び前記信号処理装置の各種設定値を含む
ことを特徴とする付記項６に記載の内視鏡システム。
【００７８】
例えば特開平３−４８３１号公報の場合、各部材の使用時間等の履歴情報の記憶手段は、内視鏡スコープ自体に設けられている。従って、履歴が必要となる構成部材の個数が増加するにつれて、大容量の記憶手段を内視鏡スコープの様にスペースに余裕がないものに組み込まなければならないといった問題がある。また、特開平６−７０８７８号公報の場合、複数の使用者が任意に設定した機器の設定を使用者毎に選択して呼び出す事が出来るようになっている。しかしながら、内視鏡システムが１台しかない場合は良いが、大きな施設の場合には、複数のシステムを備えており、使用者はいつも特定のシステムを使用する訳でないから、結局全てのシステムに設定をいちいち記憶させるか、特開平３−４８３１号公報のように全ての設定値を内視鏡スコープに記憶させる必要があるといった問題もある。付記項６及び７の構成の内視鏡システムでは、これら問題を解決する。
【００７９】
（付記項８）  前記各種設定値は、前記履歴情報に応じて補正される
ことを特徴とする付記項７に記載の内視鏡システム。
【００８０】
従来、観察モニタや写真撮影装置の輝度や色度が変化した場合にビデオプロセッサの設定を変化させて補正することは、使用者の主観的判断で行われているから、内視鏡画像による診断のように過去の症例の蓄積結果を客観的に判断する場合には、正確な判断に熟練を要すると共に、操作が煩雑で面倒であるといった問題があるが、付記項８の内視鏡システムではこのような問題を解決する。
【００８１】
（付記項９）  前記符号化された文字情報もしくはコード化された情報に基づき、前記内視鏡の機種を判別して、前記内視鏡の先端より突出する生検鉗子の位置を指示する
ことを特徴とする付記項１に記載の内視鏡システム。
【００８２】
従来、内視鏡スコープの機種が異なった場合、鉗子チャンネルの位置と視野角度が異なるので、生検鉗子がどの場所から視野内に出てくるかを認識するためには熟練を要するといった問題があるが、付記項９の内視鏡システムではこのような問題を解決する。
【００８３】
【発明の効果】
以上説明したように本発明の内視鏡システムによれば、内視鏡が撮像したタグに明記された文字情報もしくはコード化された情報を含む画像信号から当該内視鏡に関連する情報を抽出し、履歴情報を作成することで、記録済みの画像より故障している内視鏡を特定すると共に、視野角度、視野方向、解像度が異なる内視鏡を用いた場合に生じる病変部の見え方や鉗子孔位置の差に対応することができるという効果がある。
【図面の簡単な説明】
【図１】本発明の第１の実施の形態に係る内視鏡システムの構成を示す構成図
【図２】図１の観察モニタの表示例を示す図
【図３】本発明の第２の実施の形態に係る内視鏡システムの構成を示す構成図
【図４】本発明の第３の実施の形態に係る内視鏡システムの構成を示す構成図
【図５】図４の内視鏡システムの各装置に設けられたデータ処理部の構成を示す構成図
【図６】本発明の第４の実施の形態に係る内視鏡総合システムの構成を示す構成図
【図７】図６の内視鏡総合システムを複数接続した状態を示す図
【符号の説明】
１…内視鏡システム
２…挿入部
３…操作部
４…電子内視鏡
５…ビデオプロセッサ
６…観察モニタ
７…写真撮影装置
８…タグ
１０…光源装置
１１…画像信号処理部
１２…文字認識部
１３…画像重畳部
１４…キーボード
１５…ＣＰＵ
１６…履歴ファイル形成部
１７…データ記憶部
【図１】
0003923601.tif 000002
【図２】
0003923601.tif 000003
【図３】
0003923601.tif 000004
【図４】
0003923601.tif 000005
【図５】
0003923601.tif 000006
【図６】
0003923601.tif 000007
【図７】
0003923601.tif 000008